(57)【特許請求の範囲】
【請求項１】
脊椎インプラントをアンカーに接続するための接続組立品であって、
第一末端と第二末端とを有するハウジング部材、すなわち、前記ハウジング部材が、脊椎インプラントの一部分を受け取るための前記第一末端に最も近い開孔と前記第二末端から前記第一末端へと延びている導管とを有し、前記導管が前記開孔と流体連通し、かつ前記開孔に対して概ね横方向に方向づけられる、ハウジング部材と、
第一末端と第二末端とを有する接続部材、すなわち、前記接続部材が内腔を有し、前記内腔が前記ハウジング部材の前記開孔と流体連通し、かつ前記ハウジング部材の前記開孔に対して概ね横方向に方向づけられ、前記接続部材が前記ハウジング部材に回転可能かつ移動可能に前記ハウジング部材に接続されるように、前記接続部材の前記第二末端が前記ハウジング部材の導管内に受け取られる、接続部材と、
第一末端と第二末端とを有する受取部材、すなわち、前記受取部材が、アンカーの一部分を受け取るための開孔と、アンカーに接触するための弾力ある脚と、前記第二末端から前記第一末端へと延びている導管とを有し、前記導管が前記接続部材の第一末端を受け取る、受取部材と、
第一末端と第二末端とを有する干渉部材、すなわち、前記干渉部材が前記内腔で受け取られ、かつ内腔内で移動可能であり、前記干渉部材の前記第一末端が弾力ある脚接触表面を有する、干渉部材と、を含む接続組立品。
【請求項２】
前記接続組立品が、
第一面と第二面とを有する環状部材、すなわち、前記環状部材が接続部材の上に配置されていて、並びに前記ハウジング部材の前記導管内に受け取られる環状部材を更に含み、
前記接続部材が、前記第二末端に最も近い少なくとも一つのリッジを有するリム部分を有し、
前記環状部材の前記第二面が、少なくとも一つのリッジを有し、並びに、
前記リム部分上の前記少なくとも一つのリッジが、前記環状部材の前記第二面上の前記少なくとも一つのリッジに面する、請求項１に記載の接続組立品。
【請求項３】
前記ハウジング部材が、固定部材を受け取るための前記第一末端に最も近い開口を有する、請求項２に記載の接続組立品。
【請求項４】
前記ハウジング部材の開孔内の脊椎インプラントと、前記受取部材の前記開孔内の骨アンカーと、前記ハウジング部材の前記開口内の固定部材とを更に含み、
前記固定部材が、前記脊椎インプラントと、前記干渉部材と、前記接続部材と、前記環状部材と、前記骨アンカーとを互いに対してロックするために、前記干渉部材及び前記ハウジング部材に対して脊椎インプラントを押し付ける、請求項３に記載の接続組立品。
【請求項５】
前記接続組立品が、第一面と第二面とを有するリング部材を更に含み、
前記接続部材が肩部分を有し、並びに、
前記リング部材が、前記接続部材の上方に配置され、かつ前記導管内に受け取られ、前記リング部材の前記第二面が、前記肩部分と接触する、請求項１に記載の接続組立品。
【請求項６】
前記環状部材が、少なくとも一つの突起を有し、並びに前記導管が、前記少なくとも一つの突起を受け取るための少なくとも一つの溝を有する、請求項２に記載の接続組立品。
【請求項７】
内腔及び延出部を有するキャップ部材を更に含み、前記ハウジング部材の前記導管が、前記キャップ部材の前記延出部を受け取る、請求項１に記載の接続組立品。
【請求項８】
前記キャップ部材が、前記ハウジング部材の前記導管内にねじ込むよう受け取られるように、前記延出部がねじ切りされて、並びに前記ハウジング部材の前記導管の少なくとも一部分がねじ切りされている、請求項７に記載の接続組立品。
【請求項９】
前記キャップ部材の前記内腔が、前記接続部材を受け取るよう構成かつ寸法形成されている、請求項７に記載の接続組立品。
【請求項１０】
前記接続部材が中心軸を有し、並びに前記受取部材の前記開孔が中心軸からオフセットされている、請求項１に記載の接続組立品。
【請求項１１】
脊椎インプラントをアンカーに接続させるための接続組立品であって、
第一末端と第二末端とを有するハウジング部材、すなわち、前記ハウジング部材が、脊椎インプラントの一部分を受け取るための前記第一末端に最も近い開孔と、前記第二末端から前記第一末端へと延びている導管とを有し、前記導管が前記開孔と流体連通し、かつ前記開孔に対して概ね横方向に方向づけられる、ハウジング部材と、
第一末端と第二末端とを有する接続部材、すなわち、前記接続部材が、前記接続部材の内部壁面から延びる、前記第二末端に最も近い肩部分と、前記接続部材の外部壁面から外側に延びる、前記第二末端に最も近いリム部分を有し、前記接続部材が、前記ハウジング部材に回転可能かつ移動可能に接続するように、前記接続部材の前記第二末端が、前記導管内に受け取られる、接続部材と、
第一末端と第二末端とを有する受取部材、すなわち、前記受取部材が、アンカーの一部分を受け取るための開孔と、前記第二末端から前記第一末端へと延びている導管とを有し、前記導管が前記接続部材の第一末端を受け取る、受取部材と、
第一面と第二面並びに少なくとも一つの突起とを有する環状部材、すなわち、前記環状部材が、前記受取部材の前記肩部分の上に配置され、かつ前記ハウジング部材の前記導管内に受け取られる、環状部材と、
第一面と第二面とを有するリング部材、すなわち、前記リング部材が、前記受取部材の上に配置され、かつ前記ハウジング部材の前記導管内に受け取られ、前記リング部材の前記第二面が、前記肩部分と接触している、リング部材と、並びに、
前記接続部材を受け取るための内腔と延出部分とを有するキャップ部材、すなわち、前記キャップ部材の前記延出部分が、前記ハウジング部材の前記導管内に受け取られ、かつ前記リング部材の前記第一面と接触する、キャップ部材と、を含む接続組立品であり、
前記導管が、前記少なくとも一つの突起を受け取るための少なくとも一つの溝を含み、並びに、
前記受取部材が、アンカーと接触するための弾力のある脚を有する、接続組立品。
【請求項１２】
第一末端と第二末端とを有する干渉部材、すなわち、前記干渉部材の前記第一末端が、接触表面を有し、前記接触表面が、前記弾力のある脚に接触するよう構成かつ寸法形成されている、干渉部材を更に含み、
前記接続部材が、前記第二末端から前記第一末端に向かって延びている内腔を有し、前記内腔が、前記ハウジング部材の前記開孔と流体連通し、かつ前記ハウジング部材の前記開孔に概ね横方向に方向づけられていて、並びに、
前記干渉部材が、前記接続部材の前記内腔内に横方向に受け取られる、請求項１１に記載の接続組立品。
【請求項１３】
前記接続組立品が中心軸を有し、前記受取部材の前記開孔が、中心軸からオフセットされている、請求項１２に記載の接続組立品。
【請求項１４】
前記リム部分が少なくとも一つのリッジを有していて、前記環状部材の前記第二面が、少なくとも一つのリッジを有し、並びに前記リム部分上の前記少なくとも一つのリッジが、前記環状部材の前記第二面上の前記少なくとも一つのリッジと対向する、請求項１１に記載の接続組立品。
【請求項１５】
前記ハウジング部材が、固定部材を受け取るための、前記第一末端に最も近い開口を有する、請求項１１に記載の接続組立品。
【請求項１６】
前記ハウジング部材の前記開孔内の脊椎インプラントと、前記開口内の固定部材と、前記受取部材の開孔内のアンカーとを更に含み、
前記脊椎インプラントが、細長い脊椎ロッドであり、
前記固定部材が、止めネジであり、並びに、
前記アンカーが骨ネジである、請求項１５に記載の接続組立品。
【請求項１７】
前記キャップ部材が、前記ハウジング部材の前記導管内にねじ込まれて受け取られるように、前記延出部分がねじ切りされ、並びに前記ハウジング部材の前記導管の少なくとも一部がねじ切りされている、請求項１１に記載の接続組立品。
【請求項１８】
脊椎インプラントをアンカーに接続させるための接続組立品であって、
第一末端と第二末端とを有するハウジング部材、すなわち、前記ハウジング部材が、脊椎インプラントの一部分を受け取るための前記第一末端に最も近い開孔と、固定部材を受け取るための前記第一末端に最も近い開口と、前記第二末端から前記第一末端へと延びている導管とを有し、前記導管が前記開孔と流体連通し、かつ前記開孔に対して概ね横方向に方向づけられる、ハウジング部材と、
第一末端と第二末端とを有する接続部材、すなわち、前記接続部材が、前記接続部材の内部壁面から延びる、前記第二末端に最も近い肩部分と、前記接続部材の外部壁面から外側に延びる、前記第二末端に最も近いリム部分と、前記第二末端から前記第一末端に向かって伸びている内腔とを有し、前記内腔が前記ハウジング部材の前記開孔と流体連通し、前記ハウジング部材の前記開孔に対して概ね横方向に方向づけられ、前記接続部材が回転可能かつ移動可能に前記ハウジング部材に接続されるように、前記接続部材の前記第二末端が前記導管内に受け取られる、接続部材と、
第一末端と第二末端とを有する干渉部材、すなわち、前記干渉部材が、前記接続部材の前記内腔内に受け取られ、かつ前記接続部材の前記内腔内で移動可能であり、前記干渉部材の前記第一末端が、弾力のある脚接触表面を有する、干渉部材と、
第一面と第二面とを有する環状部材、すなわち、前記環状部材が、前記接続部材の前記肩部分の上に配置され、かつ前記導管内に受け取られる、環状部材と、
第一面と第二面とを有するリング部材であり、前記リング部材が、前記接続部材の上に配置され、かつ前記導管内に受け取られ、前記リング部材の前記第二面が、前記肩部分と接触する、リング部材と、
第一末端と第二末端とを有する受取部材、すなわち、前記受取部材が、アンカーの一部分を受け取るための開孔と、アンカーに接触するための弾力のある脚と、前記第二末端から前記第一末端に向かって延びている導管とを有し、前記受取部材の前記導管が、前記接続部材の第一末端を受け取る、受取部材と、並びに、
前記接続部材を受け取るための内腔と延出部分とを有するキャップ部材、すなわち、前記キャップ部材の前記延出部分が、前記ハウジング部材の前記導管内に受け取られ、かつ前記リング部材の前記第一面と接触する、キャップ部材と、を含む接続組立品。
【請求項１９】
前記リム部分が、少なくとも一つのリッジを有し、前記環状部材の前記第二面が、少なくとも一つのリッジを有し、並びに前記リム部分上の前記少なくとも一つのリッジが、前記環状部材の前記第二面上の前記少なくとも一つのリッジと対向し、並びに前記環状部材が、少なくとも一つの突起を有し、前記導管が、前記少なくとも一つの突起を受け取るための少なくとも一つの溝を有する、請求項１８に記載の接続組立品。
【請求項２０】
前記接続組立品が中心軸を有し、前記受取部材の前記開孔が、前記中心軸からオフセットされている、請求項１８に記載の接続組立品。
【発明の詳細な説明】
【技術分野】
【０００１】
本発明は、一般的には接続組立品に関し、特に可変角度脊椎インプラント接続組立品に関する。
【背景技術】
【０００２】
従来より、脊椎変形、脊椎損傷、及び他の脊椎状態は、脊椎インプラントの使用によって治療され得る。脊椎インプラントは、脊椎を支持し、並びに脊椎の構成要素を適切に配置させるように設計されている。このような脊椎インプラントの一つは、細長いロッドと複数の骨アンカーとを含む。細長いロッドは、脊椎のより多くの構成要素のうちの一つに沿って延びるよう配置され、並びに骨アンカーは一方の端で脊椎構成要素に取付けられ、もう一方の端で細長いロッドに固定される。
【発明の概要】
【発明が解決しようとする課題】
【０００３】
しかしながら、患者の解剖学的構造、治療される脊椎状態、及び場合によっては外科医の好みのために、骨アンカーは細長いロッドからの種々の角度及び距離にて配置される必要があり得る。その結果として、細長いロッドと骨アンカーとの間の確実な接続を得ることが困難となり得る。
【０００４】
したがって、ロッドに対する骨アンカーの角度及び位置での変動に関わらず、細長いロッドを骨アンカーに確実に接続することが可能な接続組立品への要求がある。
【課題を解決するための手段】
【０００５】
好適な実施形態では、本発明は、脊椎インプラントを骨アンカーに確実に接続するために使用され得る接続組立品を提供する。特に、本発明は好ましくは、脊椎インプラントに対してアンカーの角度及び位置での変動がある場合でも、脊椎インプラントをアンカーに確実に接続することが可能であるオフセット可変角度接続組立品を提供する。更に、好適な実施形態では、本発明は、隣接する小関節面のような隣接する解剖学的構造の維持をもたらす中間のロックオフセット骨アンカー接続を提供する。更には、好適な実施形態において、本発明は、接続組立品の構成要素の相対的移動を防止する、接続組立品の構成要素を不注意にロックすることがないような接続組立品を提供する。
【０００６】
好適な実施形態において、接続組立品は、脊椎インプラントの一部分を受け取るための開孔を有するハウジング部材と、脊椎インプラントを固定するための固定部材を受け取るための開口と、受取部材を受け取るための導管とを有するハウジング部材を含む。受取部材は、アンカーの一部分を受け取るための開孔と、少なくとも一つのリッジを有するリム部分と、内腔とを有することが好ましい。更に、好適な実施形態では、受取部材がハウジング部材に回転可能かつ移動可能に接続されるように、受取部材は、ハウジング部材の導管内に受け取られるよう構成かつ寸法形成される。干渉部材が受取部材の内腔に受け取られることが好ましく、それは内腔内で移動可能である。好ましい実施形態では、干渉部材の末端は、所定の位置にアンカーをロックするためのアンカー接触表面を有する。
【０００７】
好ましい実施形態において、接続組立品は、受取部材の上方に配置されていて、かつハウジング部材の導管内に受け取られる環状部材を更に含む。好ましくは、環状部材の面は少なくとも一つのリッジを有し、受取部材のリム部分上の少なくとも一つのリッジは、環状部材の第二面上の少なくとも一つのリッジに対向する。好適な実施形態において、リッジは互いに係合するよう構成かつ寸法形成されて、ハウジング部材及び受取部材の回転移動をロックする。
【０００８】
本発明の適用可能な更なる分野は、以下に提供された詳細な説明から明確になるであろう。詳細な説明及び特異的な実施例は、本発明の好適な又は例示的な実施形態を示唆しているが、単に例示の目的を意図したものであり、本発明の範囲を制限するよう意図したものでないことが理解されるべきである。
【０００９】
本発明は、詳細な説明及び添付の図面からより完全に理解されるであろう。
【図面の簡単な説明】
【００１０】
【図１】本発明の接続組立品の一実施形態の透視図である。
【図２】本発明の図１に示された接続組立品の拡大透視図である。
【図３】本発明の図１に示された接続組立品の立面側面図である。
【図４】矢印Ａ−Ａの方向における図１に示された接続組立品の横断面図である。
【図５】本発明の矢印Ｂ−Ｂの方向における図１に示された接続組立品の横断面図である。
【発明を実施するための形態】
【００１１】
好適な実施形態の説明
好適な実施形態の以下の説明は、単なる一例であって、本発明、その用途、又は使用を制限することを意図しているものではない。
【００１２】
図１〜４を参照すると、オフセット接続組立品１０の好適な実施形態が図示されている。接続組立品１０は、ハウジング部材１２とオフセット受取部材１４とを含むことが好ましい。ハウジング部材１２は、脊柱ロッドのような脊柱インプラント２０の少なくとも一部分を受け取るための第一末端にての細長い開孔１６を含み、並びにオフセット受取部材１４は、骨ネジのようなアンカー２４の少なくとも一部分を受け取るための開孔２２を含む。開孔２２（及びアンカー２４）は、脊椎インプラント２０から直線的にオフセットされていて、或いは言い換えれば、開孔２２の中心が中心軸８から距離ｘでオフセットされている。1本の骨ネジのみが示されているが、オフセット受取部材１４の開孔２２は、限定されるものではないが、他の整形外科用ネジ、フック、ボルト、又は他の同様な骨アンカー装置を含む任意の数のアンカーを受け取ることができることを、当業者は理解されるであろう。ハウジング部材１２及びオフセット受取部材１４は、回転可能に接続されていることが好ましい。回転可能な接続は、ネジ接続、スナップ取付け、又は捕捉接続を含む任意の好適なデザインであり得る。
【００１３】
好ましい実施形態において、ハウジング部材１２はまた、固定部材２８を受け取るための第一末端にての第二開孔２６を含む。第二開孔２６は、細長い開孔１６に向かって、ハウジング部材１２の外側表面から延びている。好適な実施形態では、第二開孔２６は、細長い開孔１６と流体連通されている。第二開孔２６の少なくとも一部分は、固定部材２８を受け取るようネジが設けられていることが好ましいが、第二開孔２６はまた、ねじ切りされなくてもよい。
【００１４】
固定部材２８は、図２にもっともよく示されるように、ねじ込み止めネジ２６であることが好ましいが、これは、限定されるものではないが、ボルト、ピン、シュー、干渉部材、又はカム部材を含む固定部材のいかなる型でもあり得る。好適な実施形態において、固定部材２８は、ハウジング部材１２からの固定部材２８の偶発的離脱を防止するために、第二開孔２６内に捕捉される。固定部材２８は、第二開孔２６内のねじ切りの末端に対して接触する固定部材２８上の突出部分２９を含有することで、第二開孔２６内に捕捉される。
【００１５】
引き続き図２を参照すると、好適な実施形態において、ハウジング部材１２はまた、ハウジング部材１２の第二末端からハウジング部材１２の第一末端に向かって延びる導管３０を含む。導管３０は、細長い開口１６と流体連通されている。好ましくは、導管３０の少なくとも一部は、ハウジング１２の第二末端からハウジング部材１２の第一末端に向かって延びている少なくとも一つの溝３２によって中断されているねじ切り３１を含む。好ましい実施形態では、少なくとも一つの溝３２が、既定量だけハウジング部材の第一末端に向かって延びていて、溝３２の末端を画定する末端面を含むことが好ましい。
【００１６】
好適な実施形態において、オフセット受取部材１４は、第一末端及び第二末端と、両末端の間に位置する開孔２２とを含む。オフセット受取部材は、導管３５と弾力ある脚５０とを更に含む。図２及び５を参照すると、好適な実施形態では、オフセット受取部材１４は、概ね円筒状の内腔１５を備えた概ね円筒形状である接続部材１７を導管３５内で受け取る。
【００１７】
接続部材１７は、内腔１５の一方の末端で、すなわち接続部材１７の第一末端で、ねじ切り６３とスロット６５とを含むことが好ましい。別の好適な実施形態では、内腔１５は、テーパー状の肩部分１９を含んでもよい。接続部材１７は、オフセット受取部材１４に向かって配向されることが好ましい複数のリッジ３６を有する第二末端上の半径方向外側に延びるリム部分３４を更に含む。好適な実施形態において、接続部材１７はまた、接続部材１７の第二末端上で、リム部分３４から離れている肩部分３８を有する。接続部材１７は、ハウジング部材１２の導管３０内に受け取られ、並びにオフセット受取部材１４の導管３５内に受け取られるよう構成かつ寸法形成されている。
【００１８】
図１〜５に再び戻ると、好ましい実施形態において、オフセット接続組立品１０は、干渉部材４０と、ギア４２と、リング部材４４と、キャップ部材４５と、末端キャップ部材４６とを更に含む。干渉部材４０は、第二末端から第一末端に向かって部分的にテーパーをつけた概ね円筒形状を有する。テーパーは肩部分５１を形成する。好適な実施形態において、干渉部材４０の第一末端は、オフセット受取部材１４上の弾力のある脚５０に接触するように構成かつ寸法形成されている末端部分４８を有する。干渉部材４０の第二末端上には、好ましくは平坦であるが、弓形状であってもよく、概ね脊椎インプラント２０の形状に合致する面４９がある。別の好適な実施形態において、干渉部材４０は、弾力のある脚５０に接触するよう構成かつ寸法形成されている末端部分４８を有する第一末端と、外側にフレア状に広がり、脊椎インプラントに接触するための面４９を含む第二末端を備えた概ね矩形形状を有する。干渉部材４０は、接続部材１７の内腔内に受け取られるように構成かつ寸法形成されている。
【００１９】
図２でもっともよく示されるように、ギア４２は、概ね環状形状であることが好ましく、一つの面上の複数のリッジ５２と、ギア４２から外側に延びている少なくとも一つの突起５４とを有する。好適な実施形態において、ギア４２は、接続部材１７の肩部分３８の上方及びハウジング部材１２の導管３０内に適合するよう構成かつ寸法形成されている。ギア４２は、リッジ５２が接続部材１７のリム部分３４上のリッジ３６に対向し、少なくとも一つの突起５４がハウジング部材１２内の少なくとも一つの溝３２内に受け取られるように、配向されていることが好ましい。
【００２０】
好ましい実施形態では、図４及び５でもっともよく示されるように、リング部材４４は概ね環状形状であって、第一面と第二面とを有し、接続部材１７の上に適合し、並びに肩部分３８に対して接触するよう構成かつ寸法形成されている。好ましくは、リング部材４４はまた、ハウジング部材１２の導管３０内に受け取られるように構成かつ寸法形成されている。好適な実施形態において、リング部材４４は、チタンからできているが、リング部材４４は、弾力のあるポリマーを含むいかなる生体適合性材料からも作られ得る。
【００２１】
好適な実施形態において、キャップ部材４５は、概ね環状形状であって、第一面と第二面とを有する。キャップ部材４５は、キャップ部材４５の第一面上の延出部５６と、内腔６０とを含む。図２、４及び５でもっともよく示されるように、延出部５６は、その少なくとも一部分に沿ってねじが切られていることが好ましく、傾斜部５７を含む。延出部５６はねじ切りを含むことが好ましいが、別の実施形態では、延出部はねじ切りされなくてもよい。好ましくは、延出部５６の直径は、肩部分５８を作り出している延出部５６に直隣接するキャップ部材４５の部分の直径よりも小さい。好ましい実施形態において、キャップ部材４５は、延出部５６がハウジング部材１２の導管３０内のねじ切り３１と係合し、並びに肩部分５８がハウジング部材１２の第二末端に接触するように、構成かつ寸法形成されている。キャップ部材４５の内腔６０は、接続部材１７を受け取るように構成かつ寸法形成されている。好適な実施形態において、キャップ部材４５がハウジング部材１２から誤って離脱することを防止するために、キャップ部材４５は、ハウジング部材１２の導管３０内に捕捉されている。
【００２２】
好ましい実施形態において、末端キャップ部材４６は、概ね環状形状であって、第一面と第二面とを有する。末端キャップ部材４６は、末端キャップ部材４６の第一面上に延出部６１を含む。延出部６１は、その少なくとも一部分に沿ってねじ切りされていることが好ましい。延出部６１がねじ切りを含むことが好ましいが、別の好ましい実施形態では、延出部はねじ切りされていなくてもよい。好適な実施形態において、末端キャップ部材４６は、接続部材１７の内腔１５内のねじ切り６３に延出部６１が係合するように、構成かつ寸法形成されている。図２、４及び５にもっともよく示されているように、末端キャップ部材４６の第一面の少なくとも一部分が、オフセット受取部材１４の第二末端に接触する。好適な実施形態において、末端キャップ部材４６が接続部材１７から誤って離脱することを防止するために、末端キャップ部材４６は、接続部材１７の内腔１５内に捕捉されている。
【００２３】
図１及び３〜５を参照すると、オフセット接続組立品１０の構成要素の好適な配列状態において、ハウジング部材１２は、オフセット受取部材１４に回転可能に接続されている。上述したように、接続部材１７は、ハウジング部材１２の導管３０内並びにオフセット受取部材１４の導管３５内に受け取られる。好適な実施形態において、接続部材１７の第二末端は、ハウジング部材１２内に配置された中間壁１３に隣接し、並びに接続部材１７の第一末端は、ハウジング部材１２の第二末端を超えて延びている。接続部材１７の内腔１５内に配置されているものが、干渉部材４０である。
【００２４】
好適な実施形態において、ハウジング部材１２の導管３０内にまた受け取られているものが、接続部材１７の肩部分３８の上方に適合するギア４２である。ギア４２上の突起５４の少なくとも一つは、溝３２の少なくとも一つに受け取られて、溝３２の末端面３３に接触することが好ましい。溝３２の末端面３３は、既定の量でハウジング部材１２の中間壁１３から間隔を置かれていて、これによって、ギア４２は、導管３０内に配置される場合に、既定の量でオフセット受取部材１４のリム部分３４から間隔を置かれる。したがって、リム部分３４上のリッジ３６は、ギア４２上のリッジ５２から間隔を置かれる。この間隔を置くことの目的は重要であり、以下に更に説明される。
【００２５】
好適な実施形態において、リング部材４４はまた、ハウジング部材１２の導管３０内に受け取られ、並びに接続部材１７の上方にまた適合する。しかしながら、リング部材の内径は、受け取り部材１４の肩部分３８よりも小さい。その結果として、リング部材４４の第二面の少なくとも一部分が、肩部分３８と接触するであろう。好ましくは、リング部材４４の第二面の残りの部分がギア４２と接触するであろう。
【００２６】
好適な実施形態において、キャップ部材４５はまた、ハウジング部材１２の導管３０内に受け取られ、並びに接続部材１７の上にまた適合する。ねじ状部分５６上のネジが導管３０上のネジ３１に係合し、キャップ部材４６に螺合して係合する。好ましくは、肩部分５８がハウジング部材１２の第二末端に接触するまで、ねじ状部分５６が導管３０にねじ込まれる。この位置において、ねじ状部分５６の傾斜部分５７が、リング部材４４の第一面と接触する。
【００２７】
上述のような要素の好適な配列状態は、ハウジング部材１２、ギア４２及びキャップ部材４５が、受け取り部材１４、接続部材１７、リング部材４４、干渉部材４０、及び末端キャップ部材４６に対して回転するようもたらす。少なくとも一つの突起５４が少なくとも一つの溝３２内に配置されているために、ハウジング部材１２が回転するにつれて、ギア４２もまた、回転するであろう。同様に、キャップ部材４５にねじが設けられ、ハウジング部材１２の導管３０内に好ましく捕捉されるために、ハウジング部材１２が回転する際に、キャップ部材４５もまた回転する。これとは対照的に、接続部材１７は、キャップ部材４５及びリム部分３４によってハウジング部材１２の導管３０内に捕捉されているが、導管３０内で回転並びに移動が可能である。同様に、リング部材４４は、接続部材１７の肩部分３８及びキャップ部材４５の傾斜部分５７によってハウジング部材１２の導管３０内に捕捉されてはいるが、導管３０内で回転することが可能である。したがって、ハウジング部材１２が回転する際には、リング部材４４は回転しない。今述べたように、ハウジング部材１２に対して回転することができる接続部材１７を通して、受取部材がハウジング部材１２に接続されるために、受取部材１４もまた、ハウジング部材１２に対して回転することができる。
【００２８】
接続組立品１０を通しての脊椎インプラント２０のアンカー２４への好ましい接続は、図１、２及び３でもっともよく示されている。例示的な使用において、アンカー２４は、脊柱内の椎体のような脊柱の構成要素へと移植される。好ましくは、接続組立品１０の受取部材１４の開孔２２がアンカー２４を受け取る。開孔２２は、接続組立品１０がアンカー２４の長さに沿ってどこにでも配置されることを可能にするように、アンカー２４のいかなる部分も受け取るように構成かつ寸法形成されている。したがって、接続組立品１０は、所望の位置を得るまで、アンカー２４に沿って移動され得る。
【００２９】
例示的な使用において、脊椎インプラント２０は典型的には、アンカー２４に対して概ね垂直であるような配向で、脊柱の長さの少なくとも一部分に沿って配置される。好ましくは、脊椎インプラント２０はまた、接続組立品１０内に受け取られ、ここでは脊椎インプラント２０は、ハウジング部材１２の細長い開口１６内に受け取られる。接続組立品１０が、脊椎インプラント２０の長さに沿ってどこへでも配置されることが可能であるように、細長い開口１６は、脊椎インプラント２０のいかなる部分も受け取るよう構成かつ寸法形成されている。
【００３０】
更には、ハウジング部材１２及び受取部材１４が互いに回転可能に接続されているために、アンカー２４と脊椎インプラント２０とが角度がずれている場合でも、接続部材１０は、所望の位置に配向され得、脊椎インプラント２０とアンカー２４とを接続することができる。更には、上述したように、アンカー２４は脊椎インプラント２０から直線的にオフセットされていて、又は言い換えれば、アンカー２４は中心軸８から距離ｘでオフセットされていて、この中心軸は、ハウジング部材１２の第一末端からキャップ部材４６の第二面に向かって延びているとして画定されたものである。この直線状のオフセットは、脊椎インプラント２０へのアンカー２４のオフセット接続をもたらし、これによって、隣接する椎間関節のような隣接する解剖学的構成要素の保護をもたらす。一旦、アンカー２４及び脊椎インプラント２０に対する接続組立品１０の所望の角度配向及び移動的位置決めが得られたら、接続組立品１０はロックされ得、アンカー２４及び脊椎インプラント２０が固定され得る。
【００３１】
接続組立品１０をロックするために、固定部材２８がハウジング部材１２内の第二開孔２６中にねじ込まれ、そこでは固定部材が脊椎ンプラント２０に接触し、かつアンカー２４に向かって脊椎インプラントを押す。脊椎インプラント２０は干渉部材４０の面４９に接触し、干渉部材４０をアンカー２４に向かって押す。干渉部材４０が脊椎インプラント２０によってアンカー２４に向かって押されるにつれて、干渉部材４０が接続部材１７の内腔１５内でアンカー２４に向かって移動し、一方接続部材１７は静止したままである。干渉部材４０の末端部分４８が、弾力のある脚５０に接触し、この弾力ある脚５０をアンカー２４を押し込み、これが今度はアンカー２４を受取部材１４内の開孔２２の側壁に押し込み、アンカー２４を接続組立品１０に対して所定の位置でロックする。
【００３２】
脊椎インプラント２０がアンカー２４に向かって移動し続け、並びに干渉部材４０を押し続けるにつれて、干渉部材４０の肩部分５１が内腔１５の壁に接触し、内腔１５の壁を押し当てて、接続部材１７を移動させる。接続部材１７が移動するにつれて、肩部分３８がリング部材４４の第二面を押し当てる。リング部材４４の第一面が、キャップ部材４６の傾斜部分５７に接触するために、肩部分３８によってリング部材４４に所定の力が加えられた後に、リング部材４４は、傾斜部分５７の方向で屈折又は屈曲する。リング部材４４がそれ以上肩部分３８をブロックしないことで、受取部材１４のリム部分３４上のリッジ３６がギア４２上のリッジ５２と係合するまで、接続部材１７はアンカー２４に向かって移動し続ける。リッジ３６及び５２が係合することで、接続組立品１０のハウジング部材１２と受取部材１４との相対的回転がロックされる。この時点で、脊椎インプラント２０はまた、ねじ切り部材２８と細長い開口１６を画定するハウジング部材１２の壁との間の所定位置でロックされる。脊椎インプラント２０が所定位置でロックされることで、ハウジング部材１２と受取部材１４との相対的な回転がロックされ、並びにアンカー２４が所定位置でロックされ、組立品全体が移動に対してロックされる。組立品全体に対する調節が、一旦好適な位置決め及び配向が得られた後に、ねじ切り部材２８を緩め、次いでねじ切り部材を再度締めることによってもたらし得る。
【００３３】
肩部分３８がリング部材４４と接触し、並びにギア４２の少なくとも一つの突起５４が少なくとも一つの溝３２の末端面と接触しているために、リング部材４４の屈曲又は屈折に先立って、受取部材１４のリム部分３４上のリッジ３６は、ギア４２上のリッジ５２には係合し得ないことに留意することは重要である。構成要素のこの配列状態は、リッジ３６、５２のいかなる偶発的な係合も防止し、これによって、受取部材１４に対するハウジング部材１２のいかなる想定外の回転ロックも防止する。
【００３４】
本発明はこうして説明されたが、同じことが様々な方法で変更され得ることは明らかであろう。このような変更は、本発明の精神および範囲から逸脱するものと見做されるべきではなく、並びに当業者には明らかであるように、このような修正の全てが添付の特許請求の範囲の範囲内に含まれるものである。
【図１】
0005498586.tif 000002
【図２】
0005498586.tif 000003
【図３】
0005498586.tif 000004
【図４】
0005498586.tif 000005
【図５】
0005498586.tif 000006